(57)【特許請求の範囲】
【請求項１】
発信元および着信回数によって定義される第１条件を予め設定しておく第１条件設定手段、
前記第１条件が定義する発信元と共通する発信元および前記第１条件が定義する着信回数よりも多い着信回数によって定義される第２条件を予め設定しておく第２条件設定手段、
前記第１条件が満足されるか否かを着信があったとき判別する第１条件判別手段、
前記第２条件が満足されるか否かを着信があったとき判別する第２条件判別手段、
前記第１条件判別手段の判別結果が肯定的であるとき特定情報を不揮発態様でメモリに書き込む書き込み手段、
電源が投入されたとき前記特定情報が前記メモリに存在するか否かを判別する第１情報判別手段、および
前記第２条件判別手段の判別結果および前記第１情報判別手段の判別結果のいずれか一方が肯定的であるときロック処理を実行するロック処理手段を備える、携帯通信端末。
【請求項２】
前記第１条件および前記第２条件の各々によって定義された発信元からの最初の着信から経過した時間を測定する測定手段、および
前記測定手段によって測定された時間が基準値に到達したとき前記特定情報が前記メモリに存在するか否かを判別する第２情報判別手段をさらに備え、
前記ロック処理手段は前記第２情報判別手段の判別結果が肯定的であるときも前記ロック処理を実行する、請求項１記載の携帯通信端末。
【請求項３】
発信元および着信回数によって定義される第１条件を予め設定しておく第１条件設定手段、
前記第１条件が定義する発信元と共通する発信元および前記第１条件が定義する着信回数よりも多い着信回数によって定義される第２条件を予め設定しておく第２条件設定手段、
前記第１条件が満足されるか否かを着信があったとき判別する第１条件判別手段、
前記第２条件が満足されるか否かを着信があったとき判別する第２条件判別手段、
前記第１条件判別手段の判別結果が肯定的であるとき特定情報を不揮発態様でメモリに書き込む書き込み手段、
前記第１条件および前記第２条件の各々によって定義された発信元からの最初の着信から経過した時間を測定する測定手段、
前記測定手段によって測定された時間が基準値に到達したとき前記特定情報が前記メモリに存在するか否かを判別する第１情報判別手段、および
前記第２条件判別手段の判別結果および前記第１情報判別手段の判別結果のいずれか一方が肯定的であるときロック処理を実行するロック処理手段を備える、携帯通信端末。
【請求項４】
前記第１条件および前記第２条件の各々は前記基準値に相当する時間をさらに定義する、請求項２または３記載の携帯通信端末。
【請求項５】
前記第１条件は複数の発信元にそれぞれ対応する複数の第１着信条件を含み、
前記第２条件は前記複数の発信元にそれぞれ対応する複数の第２着信条件を含み、
前記測定手段は前記複数の発信元にそれぞれ対応して時間を測定する複数の時間測定手段を含む、請求項２ないし４のいずれかに記載の携帯通信端末。
【請求項６】
前記ロック処理はキー操作を無効とする処理である、請求項１ないし５のいずれかに記載の携帯通信端末。
【請求項７】
発信元および着信回数によって定義される第１条件を予め設定しておく第１条件設定手段、および前記第１条件が定義する発信元と共通する発信元および前記第１条件が定義する着信回数よりも多い着信回数によって定義される第２条件を予め設定しておく第２条件設定手段を備える、携帯通信端末のプロセサに、
前記第１条件が満足されるか否かを着信があったとき判別する第１条件判別ステップ、
前記第２条件が満足されるか否かを着信があったとき判別する第２条件判別ステップ、
前記第１条件判別ステップの判別結果が肯定的であるとき特定情報を不揮発態様でメモリに書き込む書き込みステップ、
電源が投入されたとき前記特定情報が前記メモリに存在するか否かを判別する第１情報判別ステップ、および
前記第２条件判別ステップの判別結果および前記第１情報判別ステップの判別結果のいずれか一方が肯定的であるときロック処理を実行するロック処理ステップ
を実行させる、ロック制御プログラム。
【請求項８】
発信元および着信回数によって定義される第１条件を予め設定しておく第１条件設定手段、および前記第１条件が定義する発信元と共通する発信元および前記第１条件が定義する着信回数よりも多い着信回数によって定義される第２条件を予め設定しておく第２条件設定手段を備える、携帯通信端末のロック制御方法であって、
前記第１条件が満足されるか否かを着信があったとき判別する第１条件判別ステップ、
前記第２条件が満足されるか否かを着信があったとき判別する第２条件判別ステップ、
前記第１条件判別ステップの判別結果が肯定的であるとき特定情報を不揮発態様でメモリに書き込む書き込みステップ、
電源が投入されたとき前記特定情報が前記メモリに存在するか否かを判別する第１情報判別ステップ、および
前記第２条件判別ステップの判別結果および前記第１情報判別ステップの判別結果のいずれか一方が肯定的であるときロック処理を実行するロック処理ステップを含む、ロック制御方法。
【請求項９】
発信元および着信回数によって定義される第１条件を予め設定しておく第１条件設定手段、および前記第１条件が定義する発信元と共通する発信元および前記第１条件が定義する着信回数よりも多い着信回数によって定義される第２条件を予め設定しておく第２条件設定手段を備える、携帯通信端末のプロセサに、
前記第１条件が満足されるか否かを着信があったとき判別する第１条件判別ステップ、
前記第２条件が満足されるか否かを着信があったとき判別する第２条件判別ステップ、
前記第１条件判別ステップの判別結果が肯定的であるとき特定情報を不揮発態様でメモリに書き込む書き込みステップ、
前記第１条件および前記第２条件の各々によって定義された発信元からの最初の着信から経過した時間を測定する測定ステップ、
前記測定ステップによって測定された時間が基準値に到達したとき前記特定情報が前記メモリに存在するか否かを判別する第１情報判別ステップ、および
前記第２条件判別ステップの判別結果および前記第１情報判別ステップの判別結果のいずれか一方が肯定的であるときロック処理を実行するロック処理ステップ
を実行させる、ロック制御プログラム。
【請求項１０】
発信元および着信回数によって定義される第１条件を予め設定しておく第１条件設定手段、および前記第１条件が定義する発信元と共通する発信元および前記第１条件が定義する着信回数よりも多い着信回数によって定義される第２条件を予め設定しておく第２条件設定手段を備える、携帯通信端末のロック制御方法であって、
前記第１条件が満足されるか否かを着信があったとき判別する第１条件判別ステップ、
前記第２条件が満足されるか否かを着信があったとき判別する第２条件判別ステップ、
前記第１条件判別ステップの判別結果が肯定的であるとき特定情報を不揮発態様でメモリに書き込む書き込みステップ、
前記第１条件および前記第２条件の各々によって定義された発信元からの最初の着信から経過した時間を測定する測定ステップ、
前記測定ステップによって測定された時間が基準値に到達したとき前記特定情報が前記メモリに存在するか否かを判別する第１情報判別ステップ、および
前記第２条件判別ステップの判別結果および前記第１情報判別ステップの判別結果のいずれか一方が肯定的であるときロック処理を実行するロック処理ステップを含む、ロック制御方法。
【発明の詳細な説明】
【技術分野】
【０００１】
この発明は、携帯通信端末に関し、特にたとえば遠隔操作に応答してキー操作を無効状態に設定する、携帯通信端末に関する。
【背景技術】
【０００２】
従来のこの種の装置の一例が、非特許文献１に開示されている。この従来技術によれば、指定の発信元情報を有する着信通知が指定期間内に指定回数発生したとき、遠隔オートロック操作が行われたとみなされ、キー操作がロック状態（無効状態）に設定される。これによって、携帯通信端末を紛失したときに、携帯通信端末に記憶された情報が漏洩する事態を回避することができる。
【非特許文献１】「Ｗ４１ＳＡｂｙＳＡＮＹＯ取扱説明書」，ＫＤＤＩ（株），沖縄セルラー電話（株），２００６年１月，ｐ．２８６−２８７
【発明の開示】
【発明が解決しようとする課題】
【０００３】
しかし、従来技術では、遠隔オートロック操作の途中で電源がオフされたり、バッテリが外されたり、携帯電話機が受信圏外に移動されたりすると、キー操作を無効状態に設定できないという問題がある。
【０００４】
それゆえに、この発明の主たる目的は、遠隔操作の妨害行為に関らずロック処理を実行することができる、携帯通信端末を提供することである。
【課題を解決するための手段】
【０００５】
請求項１の発明に従う携帯通信端末(10)は、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備え、さらに第１条件が満足されるか否かを着信があったとき判別する第１条件判別手段(S25)、第２条件が満足されるか否かを着信があったとき判別する第２条件判別手段(S29)、第１条件判別手段の判別結果が肯定的であるとき特定情報を不揮発態様でメモリに書き込む書き込み手段(S27)、電源が投入されたとき特定情報がメモリに存在するか否かを判別する第１情報判別手段(S41)、および第２条件判別手段の判別結果および第１情報判別手段の判別結果のいずれか一方が肯定的であるときロック処理を実行するロック処理手段(S49)を備える。
【０００６】
第１条件および第２条件の各々は、発信元および着信回数を定義する。第２条件が定義する発信元は第１条件が定義する発信元と共通する一方、第２条件が定義する着信回数は第１条件が定義する着信回数よりも多い。
【０００７】
第１条件が満足されるか否かは、着信があったとき、第１条件判別手段によって判別される。第２条件が満足されるか否かは、着信があったとき、第１条件判別手段の判別処理に関連して、第２条件判別手段によって判別される。書き込み手段は、第１条件判別手段の判別結果が肯定的であるとき、特定情報を不揮発態様でメモリに書き込む。特定情報がメモリに存在するか否かは、電源が投入されたとき、第１情報判別手段によって判別される。ロック処理は、第２条件判別手段の判別結果および第１情報判別手段の判別結果のいずれか一方が肯定的であるとき、ロック処理手段によって実行される。
【０００８】
したがって、第１条件によって定義される着信回数が第１数値を示し、第２条件によって定義される着信回数が第１数値よりも大きい第２数値を示すことを前提として、定義された発信元からの着信回数が第２数値に到達すると、速やかにロック処理が実行される。また、定義された発信元からの着信回数が第１数値に到達した後でかつ第２数値に到達する前に電源が遮断されたときは、次回の電源投入時にロック処理が実行される。これによって、電源遮断のような妨害行為に関らず、遠隔操作によってロック処理を実行することができる。
【０００９】
請求項２の発明に従う携帯通信端末は、請求項１に従属し、第１条件および第２条件の各々によって定義された発信元からの最初の着信から経過した時間を測定する測定手段(S11)、および測定手段によって測定された時間が基準値に到達したとき特定情報がメモリに存在するか否かを判別する第２情報判別手段(S47)をさらに備え、ロック処理手段は第２情報判別手段の判別結果が肯定的であるときもロック処理を実行する。
【００１０】
したがって、定義された発信元からの着信回数が第１数値以上で第２数値未満の状態が継続すると、ロック処理は、測定手段による測定時間が基準値に到達した時点で実行される。これによって、受信圏外に移動するような妨害行為に関らず、遠隔操作によってロック処理を実行することができる。
【００１１】
請求項３の発明に従う携帯通信端末(10)は、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備え、さらに第１条件が満足されるか否かを着信があったとき判別する第１条件判別手段(S25)、第２条件が満足されるか否かを着信があったとき判別する第２条件判別手段(S29)、第１条件判別手段の判別結果が肯定的であるとき特定情報を不揮発態様でメモリに書き込む書き込み手段(S27)、第１条件および第２条件の各々によって定義された発信元からの最初の着信から経過した時間を測定する測定手段(S11)、測定手段によって測定された時間が基準値に到達したとき特定情報がメモリに存在するか否かを判別する第１情報判別手段(S47)、および第２条件判別手段の判別結果および第１情報判別手段の判別結果のいずれか一方が肯定的であるときロック処理を実行するロック処理手段(S49)を備える。
【００１２】
第１条件および第２条件の各々は、発信元および着信回数を定義する。第２条件が定義する発信元は第１条件が定義する発信元と共通する一方、第２条件が定義する着信回数は第１条件が定義する着信回数よりも多い。
【００１３】
第１条件が満足されるか否かは、着信があったとき、第１条件判別手段によって判別される。第２条件が満足されるか否かは、第１条件判別手段の判別処理に関連して、着信があったとき、第２条件判別手段によって判別される。書き込み手段は、第１条件判別手段の判別結果が肯定的であるとき、特定情報を不揮発態様でメモリに書き込む。
【００１４】
測定手段は、第１条件および第２条件の各々によって定義された発信元からの最初の着信から経過した時間を測定する。測定手段によって測定された時間が基準値に到達すると、特定情報がメモリに存在するか否かが第１情報判別手段によって判別される。ロック処理は、第２条件判別手段の判別結果および第１情報判別手段の判別結果のいずれか一方が肯定的であるとき、ロック処理手段によって実行される。
【００１５】
したがって、第１条件によって定義される着信回数が第１数値を示し、第２条件によって定義される着信回数が第１数値よりも大きい第２数値を示すことを前提として、定義された発信元からの着信回数が第１数値に到達しさえすれば、ロック処理は、測定手段による測定時間が基準値に到達した時点、あるいは定義された発信元からの着信回数が第１数値を超えて第２数値に到達した時点で実行される。
【００１６】
つまり、測定時間が基準値に達する前に着信回数が第２数値に到達すると、この時点でロック処理が実行される。また、着信回数が第２数値に到達する前に測定時間が基準値に到達すると、この時点でロック処理が実行される。
【００１７】
これによって、受信圏外に移動するような妨害行為に関らず、遠隔操作によってロック処理を実行することができる。
【００１８】
請求項４の発明に従う携帯通信端末は、請求項２または３に従属し、第１条件および第２条件の各々は基準値に相当する時間をさらに定義する。
【００１９】
請求項５の発明に従う携帯通信端末は、請求項２ないし４のいずれかに従属し、第１条件は複数の発信元にそれぞれ対応する複数の第１着信条件を含み、第２条件は複数の発信元にそれぞれ対応する複数の第２着信条件を含み、測定手段は複数の発信元にそれぞれ対応して時間を測定する複数の時間測定手段を含む。
【００２０】
請求項６の発明に従う携帯通信端末は、請求項１ないし５のいずれかに従属し、ロック処理はキー操作を無効とする処理である。
【００２１】
請求項７の発明に従うロック制御プログラムは、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備える、携帯通信端末(10)のプロセサ(24)に、第１条件が満足されるか否かを着信があったとき判別する第１条件判別ステップ(S25)、第２条件が満足されるか否かを着信があったとき判別する第２条件判別ステップ(S29)、第１条件判別ステップの判別結果が肯定的であるとき特定情報を不揮発態様でメモリに書き込む書き込みステップ(S27)、電源が投入されたとき特定情報がメモリに存在するか否かを判別する第１情報判別ステップ(S41)、および第２条件判別ステップの判別結果および第１情報判別ステップの判別結果のいずれか一方が肯定的であるときロック処理を実行するロック処理ステップ(S49)を実行させる、ロック制御プログラムである。
【００２２】
請求項８の発明に従うロック制御方法は、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備える、携帯通信端末(10)のロック制御方法であって、第１条件が満足されるか否かを着信があったとき判別する第１条件判別ステップ(S25)、第２条件が満足されるか否かを着信があったとき判別する第２条件判別ステップ(S29)、第１条件判別ステップの判別結果が肯定的であるとき特定情報を不揮発態様でメモリに書き込む書き込みステップ(S27)、電源が投入されたとき特定情報がメモリに存在するか否かを判別する第１情報判別ステップ(S41)、および第２条件判別ステップの判別結果および第１情報判別ステップの判別結果のいずれか一方が肯定的であるときロック処理を実行するロック処理ステップ(S49)を含む、ロック制御方法である。
【００２３】
請求項９の発明に従うロック制御プログラムは、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備える、携帯通信端末(10)のプロセサ(24)に、第１条件が満足されるか否かを着信があったとき判別する第１条件判別ステップ(S25)、第２条件が満足されるか否かを着信があったとき判別する第２条件判別ステップ(S29)、第１条件判別ステップの判別結果が肯定的であるとき特定情報を不揮発態様でメモリに書き込む書き込みステップ(S27)、第１条件および第２条件の各々によって定義された発信元からの最初の着信から経過した時間を測定する測定ステップ(S11)、測定ステップによって測定された時間が基準値に到達したとき特定情報がメモリに存在するか否かを判別する第１情報判別ステップ(S47)、および第２条件判別ステップの判別結果および第１情報判別ステップの判別結果のいずれか一方が肯定的であるときロック処理を実行するロック処理ステップ(S49)を実行させるための、ロック制御プログラムである。
【００２４】
請求項１０の発明に従うロック制御方法は、発信元および着信回数によって定義される第１条件を予め設定しておく第１条件設定手段(32t)、および前記第１条件が定義する発信元と共通する発信元および前記第１条件が定義する着信回数よりも多い着信回数によって定義される第２条件を予め設定しておく第２条件設定手段(32t)を備える、携帯通信端末(10)のロック制御方法であって、発信元および着信回数を定義する第１条件が満足されるか否かを着信があったとき判別する第１条件判別ステップ(S25)、第１条件が定義する発信元と共通する発信元および第１条件が定義する着信回数よりも多い着信回数を定義する第２条件が満足されるか否かを着信があったとき判別する第２条件判別ステップ(S29)、第１条件判別ステップの判別結果が肯定的であるとき特定情報を不揮発態様でメモリに書き込む書き込みステップ(S27)、第１条件および第２条件の各々によって定義された発信元からの最初の着信から経過した時間を測定する測定ステップ(S11)、測定ステップによって測定された時間が基準値に到達したとき特定情報がメモリに存在するか否かを判別する第１情報判別ステップ(S47)、および第２条件判別ステップの判別結果および第１情報判別ステップの判別結果のいずれか一方が肯定的であるときロック処理を実行するロック処理ステップ(S49)を備える。
【発明の効果】
【００２５】
この発明によれば、遠隔操作の妨害行為に関らずロック処理を実行することができる。
【００２６】
この発明の上述の目的，その他の目的，特徴および利点は、図面を参照して行う以下の実施例の詳細な説明から一層明らかとなろう。
【発明を実施するための最良の形態】
【００２７】
図１を参照して、この実施例の携帯電話機１０は、バッテリ３４によって駆動され、キー入力装置２８を含む。キー入力装置２８によって発呼操作が行われると、ＣＰＵ２４は、信号処理回路１６および無線回路１４を制御して発呼信号を出力する。出力された発呼信号は、アンテナ１２から放出され、基地局を含む移動通信網を経て通話相手の電話機に送信される。通話相手が着呼操作を行うと、通話可能状態が確立される。
【００２８】
通話可能状態に移行した後にキー入力装置２８によって通話終了操作が行われると、ＣＰＵ２４は、信号処理回路１６および無線回路１４を制御して、通話相手に通話終了信号を送信する。通話終了信号の送信後、ＣＰＵ２４は、通話処理を終了する。先に通話相手から通話終了信号を受信した場合も、ＣＰＵ２４は、通話処理を終了する。また、通話相手によらず、移動通信網から通話終了信号を受信した場合も、ＣＰＵ２４は通話処理を終了する。
【００２９】
通話相手からの発呼信号がアンテナ１２によって捉えられると、無線回路１４は、着信をＣＰＵ２４に通知する。ＣＰＵ２４は、着信通知に記述された発信元情報をＬＣＤ２６から出力し、図示しない着信通知用のスピーカから着信音を出力する。キー入力装置２８によって着呼操作が行われると、通話可能状態が確立される。
【００３０】
通話可能状態では、次のような処理が実行される。通話相手から送られてきた変調音声信号（高周波信号）は、アンテナ１２によって捉えられる。捉えられた変調音声信号は、無線回路１４によって復調処理を施され、かつ信号処理回路１６によって復号処理を施される。信号処理回路１６によって復号された受話音声データは、ＡＤ／ＤＡ変換回路１８によってアナログ信号である受話音声信号に変換される。変換された受話音声信号は、スピーカ２２から出力される。
【００３１】
マイクロフォン２０によって取り込まれた送話音声信号は、ＡＤ／ＤＡ変換回路１８によってディジタル信号である送話音声データに変換される。変換された送話音声データは、信号処理回路１６によって符号化処理を施され、さらに無線回路１４によって変調処理を施される。無線回路１４によって生成された変調音声信号は、上述と同様、アンテナ１２を利用して通話相手に送信される。
【００３２】
フラッシュメモリ３２は、図２に示す遠隔オートロック制御テーブル３２ｔを記憶する。図２によれば、複数の発信元が複数の登録Ｎｏ．にそれぞれ対応して遠隔オートロック制御テーブル３２ｔに設定される。設定された複数の発信元の各々には、注目時間（分），正規条件用の着信回数，および簡易条件用の着信回数が割り当てられる。
【００３３】
具体的に説明すると、登録Ｎｏ．“０”には発信元として“０６−０１２３−＊＊＊＊”が設定され、登録Ｎｏ．“１”には発信元として“公衆電話”が設定され、登録Ｎｏ．“２”には発信元として“０９０−１１１１−＃＃＃＃”が設定される。“＊＊＊＊”および“＃＃＃＃”は、指定された４桁の数字である。“０６−０１２３−＊＊＊＊”には、注目時間“５”と正規条件用の着信回数“７”と簡易条件用の着信回数“５”とが割り当てられる。“公衆電話”には、注目時間“３”と正規条件用の着信回数“５”と簡易条件用の着信回数“３”とが割り当てられる。“０９０−１１１１−＃＃＃＃”には、注目時間“１０”と正規条件用の着信回数“５”と簡易条件用の着信回数“３”とが割り当てられる。
【００３４】
発信元情報は、フラッシュメモリ３２に記憶されたアドレス帳（図示せず）から選択されるか、あるいは直接入力される。また、発信元情報の登録には、発信履歴、着信履歴、メール情報などから得られる電話番号を使ってもよい。簡易条件用の着信回数は、正規条件用の着信回数よりも小さく、正規条件用の着信回数が指定されたときに一義的に決定される。つまり、簡易条件用の着信回数は、正規条件用の着信回数から“２”を引き算した数値を示す。
【００３５】
正規オートロック条件は、共通の登録Ｎｏ．に割り当てられた発信元，注目時間および正規条件用の着信回数によって定義される。また、簡易オートロック条件は、共通の登録Ｎｏ．に割り当てられた発信元，注目時間および簡易条件用の着信回数によって定義される。
【００３６】
遠隔オートロック制御テーブル３２ｔに登録された発信元からの着信状況は、図３に示す要領でＲＡＭ３０上に作成された管理テーブル３０ｔによって管理される。図３によれば、現時点の着信回数を示すカウント値ＣＮＴ（Ｎｏ．）と最初の着信からの経過時間を示すタイマ値ＴＭ（Ｎｏ．）とが複数の登録Ｎｏ．の各々に割り当てられる。
【００３７】
着信状況が正規オートロック条件を満足すると、キー入力装置２８の操作を無効とするロック処理が速やかに実行される。また、着信状況が簡易オートロック条件を満足すると、ロック情報がフラッシュメモリ３２に記憶される。ロック情報がフラッシュメモリ３２に存在するか否かは、注目時間が経過したとき、または電源がオンされたときに判別される。ロック処理は、この判別結果が肯定的であるときに実行される。
【００３８】
遠隔オートロック制御テーブル３２ｔに登録された発信元の１つ（たとえば公衆電話）からの着信があったとき、正規オートロック条件に着目した動作は、図４（Ａ）に示す要領で実行され、簡易オートロック条件に着目した動作は、図４（Ｂ）または図４（Ｃ）に示す要領で実行される。
【００３９】
図４（Ａ）を参照して、公衆電話からの１回目の着信が発生すると、着信回数を示すカウント値ＣＮＴ（１）が“１”に設定され、タイマ値ＴＭ（１）を管理するタイマがリセット＆スタートされる。“公衆電話”に割り当てられた注目時間および正規条件用の着信回数は、それぞれ“３”および“５”である。このため、タイマ値ＴＭ（１）が３分に到達するまでに公衆電話からの着信がさらに４回発生し、カウント値ＣＮＴ（１）が“５”を示すと、ロック処理が実行される。ロックの際に、ロックを実行した発信元へ音声、テキスト（文字）などの報知情報により「ロックを設定しました」などのように、ロック処理が行われたことを報知するようにしてもよい。それにより、使用者にとってより分かりやすくなる。
【００４０】
図４（Ｂ）または図４（Ｃ）を参照して、公衆電話からの１回目の着信が発生すると、上述と同様、カウント値ＣＮＴ（１）が“１”に設定され、タイマ値ＴＭ（１）を管理するタイマがリセット＆スタートされる。ロック情報は、公衆電話からの３回目の着信が発生したとき、つまりカウント値ＣＮＴ（１）が“３”を示したとき、フラッシュメモリ３２に記憶される。
【００４１】
公衆電話からの４回目の着信の後に携帯電話機１０が受信圏外に移動すると、公衆電話からの５回目の着信は検出できない。この場合は、タイマ値ＴＭ（１）が３分に到達した時点でロック処理が実行される。また、公衆電話からの４回目の着信の後に携帯電話機１０の電源がオフされると、公衆電話からの５回目の着信は発生しない。この場合は、次回の電源オンに応答してロック処理が実行される。
【００４２】
したがって、携帯電話機１０を紛失した所有者は、正規オートロック条件を満足する態様でこの携帯電話機１０をコールすることで、キー入力装置２８の操作を無効とすることができる。また、正規オートロック条件が満足される前に受信圏外への移動や電源オフなどの妨害行為が行われたとしても、かかる妨害行為の前に簡易オートロック条件が満足されていれば、注目時間が経過したときまたは電源がオンされたときにロック処理が実行される。この結果、携帯電話機１０に記憶された個人情報の漏洩を的確に防止することができる。
【００４３】
複数の発信元から着信があったときの動作を図５に示す。図５によれば、登録Ｎｏ．“０”に割り当てられた発信元Ｂからの１回目の着信が１０：０１に発生する。このとき、カウント値ＣＮＴ（０）が“１”に設定され、タイマ値ＴＭ（０）を管理するタイマがリセット＆スタートされる。発信元Ａからの２回目の着信は１０：０２に発生し、カウント値ＣＮＴ（０）は“２”に更新される。
【００４４】
しかし、タイマ値ＴＭ（０）を管理するタイマは、カウント値ＣＮＴ（０）が“２”を示したままタイムアウトとなる。カウント値ＣＮＴ（０）は、発信元Ｂからの１０：０９の着信に応答して再度“１”に設定される。タイマ値ＴＭ（０）を管理するタイマは、このときリセット＆スタートを施される。したがって、発信元Ｂからの着信によってロック情報がフラッシュメモリ３２に設定されることはなく、発信元Ｂからの着信によってロック処理が実行されることもない。
【００４５】
登録Ｎｏ．“２”に割り当てられた発信元Ａからの１回目の着信は、１０：００に発生する。このとき、カウント値ＣＮＴ（２）が“１”に設定され、タイマ値ＴＭ（２）を管理するタイマがリセット＆スタートされる。発信元Ａからの着信はその後、１０：０４，１０：０６，１０：０８および１０：０９に発生する。カウント値ＣＮＴ（２）は、１０：０４に“２”に更新され、１０：０６に“３”に更新され、１０：０８に“４”に更新され、そして１０：０９に“５”に更新される。ロック情報は、カウント値ＣＮＴ（２）が“３”を示したときにフラッシュメモリ３２に書き込まれる。ロック処理は、カウント値ＣＮＴ（２）が“５”を示したときに実行される。
【００４６】
なお、遠隔オートロック制御テーブル３２ｔに登録されていない発信者Ｃからの着信は、１０：０２に発生する。しかし、この着信は、ロック処理に関して何ら意味をなさない。
【００４７】
ＣＰＵ２４は、図６〜図７に示す情報設定タスクおよび図８に示すロック制御タスクを含む複数のタスクを並列的に実行する。なお、これらのタスクは、フラッシュメモリ３２に記憶され、かつ電源がオンされたときに起動される。
【００４８】
図６〜図７を参照して、ステップＳ１ではフラグＦＬＧを“０”に設定する。着信通知が与えられるとステップＳ３でＹＥＳと判断し、着信通知に記述された発信元情報に適合する発信元が遠隔オートロック制御テーブル３２ｔに登録されているか否かをステップＳ５で判別する。ここでＮＯであればステップＳ３に戻り、ＹＥＳであればステップＳ７に進む。ステップＳ７では適合する発信元に割り当てられた登録Ｎｏ．を変数Ｋに設定し、ステップＳ９ではカウント値ＣＮＴ（Ｋ）を“１”に設定し、ステップＳ１１ではタイマ値ＴＭ（Ｋ）を管理するタイマについてリセット＆スタートを実行する。
【００４９】
ステップＳ１３では、起動中の全てのタイマがタイムアウトとなったか否かを判別する。具体的には、タイマ値ＴＭ（＊）が変数＊に対応して遠隔オートロック制御テーブル３２ｔに登録された注目時間に到達したか否かを判別する（＊：起動中のタイマに対応する登録Ｎｏ．）。ここでＹＥＳであればステップＳ３に戻る一方、ＮＯであればステップＳ１５およびＳ１７でステップＳ３およびＳ５と同様の処理を実行する。ステップＳ１５またはＳ１７でＮＯであればステップＳ１３に戻る一方、ステップＳ１５およびＳ１７の両方でＹＥＳであればステップＳ１９に進む。
【００５０】
ステップＳ１９では、ステップＳ１５で検出された着信通知の発信元に対応するタイマが起動済みであるか否かを判別する。ここでＮＯであれば、ステップＳ７に戻る。これによって、複数のタイマが並列的に起動する。ステップＳ１９でＹＥＳであればステップＳ２１に進み、ステップＳ１５で検出された着信通知の発信元の登録Ｎｏ．を変数Ｌに設定する。ステップＳ２３ではカウント値ＣＮＴ（Ｌ）をインクリメントし、ステップＳ２５ではインクリメントされた変数ＣＮＴ（Ｌ）が閾値ＴＨ１に等しいか否かを判別する。閾値ＴＨ１は、変数Ｌに対応して遠隔オートロック制御テーブル３２ｔに設定された簡易条件用の着信回数に相当する。
【００５１】
ステップＳ２５でＮＯであればそのままステップＳ２９に進む一方、ステップＳ２５でＹＥＳであればステップＳ２７でロック情報をフラッシュメモリ３２に書き込んでからステップＳ２９に進む。ステップＳ２９では、変数ＣＮＴ（Ｌ）が閾値ＴＨ２に等しいか否かを判別する。閾値ＴＨ２は、変数Ｌに対応して遠隔オートロック制御テーブル３２ｔに設定された正規条件用の着信回数に相当する。ステップＳ２９でＮＯであればステップＳ１３に戻る一方、ステップＳ２７でＹＥＳであればステップＳ３１でフラグＦＬＧを“１”に設定してから情報設定タスクを終了する。
【００５２】
図８を参照して、ステップＳ４１では、ロック情報がフラッシュメモリ３２に存在するか否かを判別する。ここでＹＥＳであればステップＳ４９に進む。ＮＯであれば、起動中のタイマのいずれか１つについてタイムアウトが発生したか否かをステップＳ４３で実行し、フラグＦＬＧが“１”であるか否かをステップＳ４５で判別し、そしてロック情報がフラッシュメモリ３２に存在するか否かをステップＳ４７で判別する。
【００５３】
いずれか１つのタイマについてタイムアウトが発生する前にフラグＦＬＧが“１”に設定されると、ステップＳ４３でＮＯと判断する一方、ステップＳ４５でＹＥＳと判断し、ステップＳ４９に進む。ロック情報がフラッシュメモリ３２に書き込まれた後でフラグＦＬＧが“１”に設定される前にタイムアウトが発生すると、ステップＳ４３およびＳ４７の各々でＹＥＳと判断し、ステップＳ４９に進む。ステップＳ４９ではキー入力装置２８の操作を無効とするロック処理を実行し、その後にロック制御タスクを終了する。
【００５４】
以上の説明から分かるように、簡易オートロック条件（第１条件）および正規オートロック条件（第２条件）の各々は、発信元，注目時間および着信回数を定義する。正規オートロック条件が定義する発信元および注目時間は簡易オートロック条件が定義する発信元および注目時間と共通する一方、正規オートロック条件が定義する着信回数は簡易オートロック条件が定義する着信回数よりも多い。
【００５５】
定義された発信元からの最初の着信から経過した時間は、タイマのリセット＆スタートによって測定される(S11)。簡易オートロック条件が満足されるか否かは、着信が発生する毎に、ＣＰＵ２４によって判別される(S25)。正規オートロック条件が満足されるか否かは、簡易オートロック条件に注目する判別処理に関連して、ＣＰＵ２４によって判別される(S29)。ＣＰＵ２４は、簡易オートロック条件が満足されたとき、ロック情報（特定情報）をフラッシュメモリ３２に書き込む(S27)。ロック情報がフラッシュメモリ３２に存在するか否かは、電源が投入されたとき、またはタイマによる測定時間が定義された注目時間（基準値）に達したとき、ＣＰＵ２４によって判別される(S41, S47)。
【００５６】
キー入力装置２８の操作を無効にするロック処理は、正規オートロック条件が満足されたとき、ロック情報がフラッシュメモリ３２に存在する状態で電源が投入されたとき、またはロック情報がフラッシュメモリ３２に存在する状態でタイマの測定時間が定義された注目時間に達したときに、ＣＰＵ２４によって実行される(S49)。
【００５７】
したがって、簡易オートロック条件によって定義される着信回数が閾値ＴＨ１を示し、第２条件によって定義される着信回数が閾値ＴＨ２を示すことを前提として、定義された発信元からの着信回数が閾値ＴＨ２に到達すると、速やかにロック処理が実行される。また、定義された発信元からの着信回数が閾値ＴＨ１に到達した後でかつ閾値ＴＨ２に到達する前に電源が遮断されたときは、次回の電源投入時にロック処理が実行される。さらに、電源が投入されているものの、定義された発信元からの着信回数が閾値ＴＨ１以上で閾値ＴＨ２未満の状態が継続すると、ロック処理は、タイマによる測定時間が定義された注目時間に到達した時点で実行される。
【００５８】
これによって、電源遮断や受信圏外への移動のような妨害行為に関らず、遠隔操作によってロック処理を実行することができる。
【００５９】
なお、この実施例では、電話機能を利用した遠隔オートロックを想定しているが、メール機能を利用して遠隔オートロックを行うようにしてもよい。
【００６０】
また、この実施例では、簡易条件用の着信回数を正規条件用の着信回数から一義的に決定しているが、ユーザがそれぞれの条件を設定できるようにしてもよい。ただし、その場合、ＣＰＵは、正規条件用の着信回数＞簡易条件用の着信回数を満足するように設定処理を実行する。
【００６１】
さらに、別の例として、ユーザは簡易条件のみを設定できるようにし、この簡易条件から一義的に正規条件を設定できるようにしてもよい。このとき、正規条件用の着信回数は、簡易条件用の着信回数を必ず下回る。
【図面の簡単な説明】
【００６２】
【図１】この発明の一実施例の構成を示すブロック図である。
【図２】図１実施例に適用されるフラッシュメモリに格納されたテーブルの一例を示す図解図である。
【図３】図１実施例に適用されるＲＡＭに格納されたテーブルの一例を示す図解図である。
【図４】（Ａ）は図１実施例の動作の一部を示すタイミング図であり、（Ｂ）は図１実施例の動作の他の一部を示すタイミング図であり、（Ｃ）は図１実施例の動作のその他の一部を示すタイミング図である。
【図５】図１実施例の動作の他の一部を示すタイミング図である。
【図６】図１実施例に適用されるＣＰＵの動作の一部を示すフロー図である。
【図７】図１実施例に適用されるＣＰＵの動作の他の一部を示すフロー図である。
【図８】図１実施例に適用されるＣＰＵの動作のその他の一部を示すフロー図である。
【符号の説明】
【００６３】
１０  …携帯通信端末
１２  …アンテナ
１４  …無線回路
２４  …ＣＰＵ
２８  …キー入力装置
３０  …ＲＡＭ
３２  …フラッシュメモリ
【図１】
0004573797.tif 000002
【図２】
0004573797.tif 000003
【図３】
0004573797.tif 000004
【図４】
0004573797.tif 000005
【図５】
0004573797.tif 000006
【図６】
0004573797.tif 000007
【図７】
0004573797.tif 000008
【図８】
0004573797.tif 000009